【手続補正書】
【提出日】平成17年3月25日(2005.3.25)
【手続補正１】
【補正対象書類名】明細書
【補正対象項目名】特許請求の範囲
【補正方法】変更
【補正の内容】
【特許請求の範囲】
【請求項１】  無線通信装置に格納されている情報を送信するための方法であって、
前記無線通信装置に格納されている情報と、前記無線通信装置上の入力キーからの連続した入力とを関連付けることと、
前記連続した入力は、最初の入力及び最後の入力を含むことと、
情報に関連付けられた連続した入力を入力し、最後の入力を最短入力時間間隔にわたって保持することによって、格納されている情報を前記無線通信装置から送信することとからなる方法。
【請求項２】  前記無線通信装置に格納されている情報と、前記無線通信装置上の同一の入力キーの連続した入力とを関連付ける、請求項１に記載の方法。
【請求項３】  共通の識別子に関連する少なくとも第一の通信アドレス及び第二の通信アドレスを前記無線通信装置に格納し、
前記第一の通信アドレスと第一の入力キーからの単独の入力とを関連付け、第二の通信アドレスと前記第一の入力キーからの少なくとも２回の連続した入力とを関連付け、
前記第一の入力キーからの前記単独の入力を所定の時間間隔にわたって入力することによって、前記第一の通信アドレスを送信し、前記第一の入力キーからの前記少なくとも２回の連続した入力を入力し、前記少なくとも２回の連続した入力の最後の入力を所定の時間間隔にわたって保持することによって、前記第二の通信アドレスを送信する、請求項１に記載の方法。
【請求項４】  前記第一の通信アドレスを数字入力キーの数字と対応する識別子を有するメモリアドレス位置に格納し、前記第二の通信アドレスを少なくとも２つの前記数字入力キーの数字に対応する識別子を有するメモリアドレス位置に格納する、請求項３に記載の方法。
【請求項５】  移動体無線通信装置から通信するための方法であって、
前記移動体無線通信装置に格納されている通信アドレスと、前記移動体無線通信装置における連続したキー入力とを関連付けることと、
前記連続したキー入力が最初のキー入力及び最後のキー入力を含むことと、
通信アドレスに関連付けられた連続した入力を入力し、最短入力時間間隔にわたって最後のキー入力を保持することによって、格納されている通信アドレスを前記移動体無線通信装置から送信することとからなる方法。
【請求項６】  前記移動体無線通信装置に格納されている第一の通信アドレスと、前記移動体無線通信装置における単独のキー入力とを関連付け、
前記移動体無線通信装置に格納されている第二の通信アドレスと、前記第一の通信アドレスに関連付けられたキー入力と同じキー入力の少なくとも連続した第一のキー入力及び第二のキー入力とを関連付け、
前記第一の通信アドレスに関連付けられた単独のキー入力を入力し、前記単独のキー入力を最短入力時間間隔にわたって保持することによって、前記第一の通信アドレスを前記移動体無線通信装置から送信し、
前記第二の通信アドレスに関連付けられた前記連続した第一のキー入力及び第二のキー入力を入力し、前記第二のキー入力を最短入力時間間隔にわたって保持することによって、前記第二の通信アドレスを前記移動体無線通信装置から送信する、請求項５に記載の方法。
【請求項７】  前記移動体無線通信装置に格納されている前記第一の通信アドレス及び第二の通信アドレスと、共通の識別子とを関連付ける、請求項６に記載の方法。
【請求項８】  前記移動体無線通信装置に格納されている第三の通信アドレス及び第四の通信アドレスと、第二の共通の識別子とを関連付け、
前記第三の通信アドレスと、前記移動体無線通信装置における第二の単独のキー入力とを関連付け、前記第二の単独のキー入力は前記単独のキー入力とは異なり、
前記第三の通信アドレスと、前記第三の通信アドレスに関連付けられたキー入力と同じキー入力の連続した少なくとも第一のキー入力及び第二のキー入力とを関連付け、
前記第三の通信アドレスに関連付けられた前記第二の単独のキー入力を入力し、前記第二の単独のキー入力を最短入力時間間隔にわたって保持することによって、前記第三の通信アドレスを前記移動体無線通信装置から送信し、
前記第四の通信アドレスに関連付けられた前記連続した第一のキー入力及び第二のキー入力を入力し、前記対応する第二のキー入力を最短入力時間間隔にわたって保持することによって、前記第四の通信アドレスを前記移動体無線通信装置から送信する、請求項７に記載の方法。
【請求項９】  インターネットアドレスをインターネット対応の移動体無線通信装置から送信するための方法であって、
前記移動体無線通信装置に格納されているインターネットアドレスと、前記移動体無線通信装置における少なくとも単独のキー入力とを関連付けることと、
前記格納されているインターネットアドレスに関連付けられた前記キー入力を入力し、前記キー入力を最短入力時間間隔にわたって保持することによって、前記格納されているインターネットアドレスを前記移動体無線通信装置から送信することとからなる方法。
【請求項１０】  前記移動体無線通信装置に格納されている前記インターネットアドレスと、前記移動体無線通信装置での少なくとも２回の複数の連続したキー入力とを関連付け、
前記連続したキー入力が最初のキー入力及び最後のキー入力を含み、
前記格納されているインターネットアドレスに関連付けられた連続した第一のキー入力及び第二のキー入力を入力し、前記最後のキー入力を最短入力時間間隔にわたって保持することによって、前記格納されているインターネットアドレスを前記移動体無線通信装置から送信する、請求項９に記載の方法。
【請求項１１】  前記移動体無線通信装置に格納されている前記インターネットアドレスと、前記移動体無線通信装置上の同じキーの少なくとも２回の複数の連続したキー入力とを関連付ける、請求項１０に記載の方法。
【請求項１２】  移動体無線通信装置であって、
プロセッサと、
複数の通信アドレスを格納するためのメモリと、
複数の入力キーを有する入力パッドと、
メモリに格納されている第一の通信アドレスと、前記入力キーのうちの１つの連続した第一のキー入力及び第二のキー入力とを関連付ける手段と、
前記第一の通信アドレスに関連付けられた前記連続したキー入力を入力し、前記連続し
たキー入力の最後の入力を所定の時間にわたって保持する際に、前記第一の通信アドレスを前記移動体無線通信装置から送信するための手段とを備える装置。
【請求項１３】  メモリに格納されている第二の通信アドレスと、前記第一の通信アドレスに関連付けられた同じ入力キーの単独のキー入力とを関連付けるための手段と、
前記第二の通信アドレスに関連付けられた前記単独のキー入力を入力し、前記キー入力を所定の時間にわたって保持する際に、前記第二の通信アドレスを前記移動体無線通信装置から送信するための手段とを備える、請求項１２に記載の移動体無線通信装置装置。
【請求項１４】  共通の識別子に関連付けられた前記第一の通信アドレス及び第二の通信アドレスがメモリに格納されている、請求項１３に記載の移動体無線通信装置。
【請求項１５】  第三の通信アドレスと、前記第一の通信アドレス及び第二の通信アドレスに関連付けられた同じ入力キーの連続した第一のキー入力、第二のキー入力及び第三のキー入力とを関連付けるための手段と、
前記第三の通信アドレスに関連付けられた前記連続したキー入力を入力し、前記連続したキー入力の最後のキー入力を所定の時間にわたって保持する際に、前記第三の通信アドレスを前記移動体無線通信装置から送信するための手段を備える、請求項１３に記載の移動体無線通信装置。
【請求項１６】  共通の識別子に関連付けられた前記第一の通信アドレス、第二の通信アドレス及び第三の通信アドレスがメモリに格納されている、請求項１５に記載の移動体無線通信装置。
【請求項１７】  前記入力キーが１つの数字を有する数字入力キーであり、前記第二の通信アドレスが、前記数字入力キーの数字によって識別されるメモリ位置に格納されている、請求項１３に記載の移動体無線通信装置。
【請求項１８】  前記第一の通信アドレスは、前記数字入力キーの隣接する十進法の第一の位及び十進法の第二の位における前記数字の並列によって識別されるメモリ位置に格納される、請求項１７に記載の移動体無線通信装置。
【請求項１９】  前記複数の通信アドレスは、電話番号、インターネットアドレス及び電子メールアドレスのうちの少なくとも１つを含む、請求項１３に記載の移動体無線通信装置。